(57)【特許請求の範囲】
【請求項１】
光部品を固定する光部品ホルダであって、前記光部品を挟み込むための押え片（３）が底板（２）上に複数配列して突設され、前記各押え片間が前記光部品の保持領域とされると共に、該押え片に該光部品保持領域外への前記光部品の抜出を防止する防止部（９）が設けられ、
全体が合成樹脂によって一体成形された一部品であり、前記底板に前記押え片間に位置させて切断用切込み（１２）が形成されていることを特徴とする光部品ホルダ。
【請求項２】
左右一対の各押え片が、隣接する押え片の前記防止部が互いに接近、離間する方向へ弾性変形可能に構成されていることを特徴とする請求項１記載の光部品ホルダ。
【発明の詳細な説明】
【０００１】
【発明の属する技術分野】
本発明は、光ファイバの融着接続部等の光部品を固定する光部品ホルダであって、光部品を確実に固定し、振動などによる脱落を防止し得る光部品ホルダに関するものである。
【０００２】
【従来の技術】
光配線盤等の架体や光接続箱等にあっては光ファイバ同士の融着接続部を、架体や箱のフレーム等に取り付けた専用のホルダによって、取り出し可能に保持することが広く行われている。
【０００３】
前記ホルダとしては、図１５から図１７に示すものが提供されている。図に示すホルダ５０は、プラスチック等の合成樹脂による一体成形品であることが一般的であり、底板５１上に、突壁状の保持片５２、５３が複数並列に配列させて突設された構造になっている。配列の一方の端に位置する保持片５３（以下、端部壁と称する場合がある）を除く各保持片５２は、底板５１から立ち上げられた主壁部５２ａと、この主壁部５２ａから、端壁部５３方向に張り出された弾性片である押え片５２ｂとを有している。図中符号５９は、光ファイバ５７同士の融着接続部であり、このホルダ５０は、隣り合う保持片５２、５２間（あるいは保持片５２、５３間）に挿入された融着接続部５９を、隣り合う一方の保持片５２の押え片５２ｂが他方の保持片５２の主壁部５２ａ（または保持片５３）に付勢力を以って押え込むことで保持するようになっている。なお、保持片５３は底板５１上に立ち上げられた壁状になっている。また、図中、符号５５は保持片５２、５２間（あるいは保持片５２、５３間）にて底板５１に形成された開口部である。符号５４は、底板５１の下面側に突設された弾性爪であり、ホルダ５０は、光配線盤のフレーム等の固定用部材６２に弾性爪５４を係合または嵌合させることで、簡単に取り付けることができる。また、符号６０は、ホルダ５０を固定用部材６２に固定するための両面テープである。
【０００４】
【発明が解決しようとする課題】
ところで、前述のホルダ５０は、隣り合う保持片５２間（あるいは保持片５２、５３間）に融着接続部５９を着脱自在に保持するようになっており、振動等によって融着接続部５９が外部へ抜け出してしまうことを防止するために、上蓋６１を被せることが多い。しかしながら、上蓋６１を要する構成では、部品点数が多く、コスト面で不利であるといった不満があった。また、固定すべき融着接続部の数やサイズ等に対応するには、多品種のホルダ５０や上蓋６１を用意する必要があり、この点でコスト面で不利になるといった不満があった。
【０００５】
本発明は、上記事情に鑑みてなされたものであり、第一の目的は、光部品が抜け出さず、かつ構成を簡単にした光部品ホルダを提供することにある。
また、第二の目的は、光部品の取り付け箇所を対象とする機器に応じて個数を選択できるようにした光部品ホルダを提供することにある。
【０００６】
【課題を解決するための手段】
上記の課題を解決するために、請求項１に記載した発明は、光部品を固定する光部品ホルダであって、前記光部品を挟み込むための押え片が底板上に複数配列して突設され、前記各押え片間が前記光部品の保持領域とされると共に、該押え片に該光部品保持領域外への前記光部品の抜出を防止する防止部が設けられ、全体が合成樹脂によって一体成形された一部品であり、前記底板に前記押え片間に位置させて切断用切込みが形成されていることを特徴とする。
【０００７】
本発明に係る光部品ホルダによれば、光部品を押え片間に挿入して保持させた際に、この光部品が防止部によって外部に抜出するのが防止される。すなわち、このホルダは、光部品を各押え片間に入れて使用する。この際、光部品は、主壁部と押え壁部とによって挟持されることによって定位置に保持される。この場合、光部品は防止部によって外部への抜出が防止される。
また、この発明に係る光部品ホルダによれば、ホルダの取り付けられる機器に応じて、光部品の取付部の個数を選択することが出来、切断用切込みをもって切断することにより、機器に応じて光部品ホルダの取付個数を選択することが可能である。
【０００８】
請求項２記載の発明は、左右一対の押え片が隣接する押え片の前記防止部が互いに接近、離間する方向へ弾性変形可能に構成されていることを特徴とする。
【０００９】
この発明に係る光部品ホルダによれば、押え片を弾性変形させることによって、光部品の保持領域への挿入、離脱が容易になされる。
【００１２】
【発明の実施の形態】
図１から図８は、本発明の一実施形態として示した光部品ホルダを示す図である。これらの図において、光ホルダ１は、プラスチック等の合成樹脂による一体成形品であり、底板２とこの底板２上に複数配列して突設された押え片３とを主な構成要素とする。
【００１３】
底板２は、ほぼ矩形状に形成された厚さ数ｍｍ程度の平板状部であって、その中央部には複数の矩形の開口部４が配列形成されている。隣り合う開口部４の間には、底板２の一部である横連結部５が形成されており、複数本の横連結部５によって底板２の左右（図３左右）両側の縦連結部６間が連結されている。前記縦連結部６は底板２の一部を形成するものであり、底板２の左右両側にて、底板２の縦方向（図３上下方向）に延在している。押え片３は、各縦連結部６上にて横連結部５と縦連結部６との連結部間に立ち上げるようにして形成されている。左右の押え片３は一直線上に主壁部７が位置するように配置され、開口部４を介して互いに対向するように設けられている。
【００１４】
押え片３は縦連結部６に連設された主壁部７と、この主壁部７の内端側に突設された押え壁部８ａと、外端側に突設された押え壁部８ｂとからなっている。これら押え壁部８ａ、８ｂは主壁部７の同一の側面側、具体的には側板１０の側に主壁部７から斜めに折り曲げて形成されている。そして、これらの壁部の内端側に設けられた押え壁部８ａには、その上端にさらに押え壁部８ａの前方へ突出し、光部品１３の抜出を防止する防止部９が形成されている。ここでは光部品１３として光ファイバ１９同士の融着接続部を採用しているため、以下、光部品１３を融着接続部１３と称する場合がある。
【００１５】
また、底板２の一端には、側板１０が設けられている。また、底板２の下面には機器架体等の固定用ピン１１が設けられている。また、このピン１１にはその中央部に底板２も含めて貫通する貫通孔１６が形成されている。また、底板２の左右の縦連結部６に各押え片３に沿って切断用切込み１２が形成されている。この切断用切込み１２によって、縦連結部６の底板２が薄肉部となっており、この部分において切り離すことが可能となっている。
【００１６】
また、図９において、このホルダ１で保持する光部品である光ファイバ１９の融着接続部１３を示している。この融着接続部１３は、多心光ファイバ１９（ここでは光ファイバテープ心線）の融着接続部１３であって、楕円の断面輪郭を持って一方向に延びる形状となっている。
【００１７】
また、図１２は、このホルダ１が取り付けられる機器架体等の取付部１８の要部を示しており、取付部１８にはホルダ１を取り付けるための貫通孔１４が４つ形成されている。このホルダ１を機器に取り付けるには、図１３に示すように、取付け冶具１５を用いる。この取付け冶具１５は、冶具本体１５ａに操作杆１６を設けてなるものである。冶具本体１５ａにはその下端部に、嵌合部１７が形成されている。嵌合部１７は、押え片３間に挿入したときに、嵌合部１７が押え片３間に挟持されて、ホルダ１を相対的に保持できるようになっている。
【００１８】
この操作杆１６をホルダ１の押え片３間に挿入して、図１４に示すように保持して機器の本体に対向させ、固定用ピン１１を貫通孔１４に冶具１５によって圧入して、ホルダ１に固定する。このように、本体に光ホルダ１が上体に固定された状態においては、ピン１１が貫通孔１４に密に嵌合され、光ホルダ１が不用意に脱落することはない。
【００１９】
そして、このホルダ１に光ファイバ１９の融着接続部１３を保持させるには、図９に示すように融着接続部１３を把持し、これを図に示すように側板１０と押え片３間又は押え片３同士間に挿入する。この際、この光部品を光ホルダ１の中に挿入すると、この押え片３の押え壁部８ａ、８ｂは底板２に対してその上端部側が拡開する方向に弾性変形し、この融着接続部１３が挿入可能となる。
【００２０】
そして、これを底板２に当接する位置まで進入させた際に、弾性変形していた押え壁部８ａ、８ｂのうち、防止部９が弾性復帰し、融着接続部１３の上方に至ることになる。この状態において、押え片３の主壁部７の先端部が融着接続部１３の側面に当接し、融着接続部１３の軸方向への移動を阻止する。また、弾性復帰した防止部９が融着接続部１３上面に当接又は融着接続部１３の上方に僅かに間隙をあけて位置し、この融着接続部１３の外部への抜出を防止する。このようにして、図１０に示すように、側板１０と押え片３の間、そして、押え片３同士の間に必要数の融着接続部１３を挿入する。かくして、保持作業が完了する。
【００２１】
上記の構成からなる光ホルダ１においては、押え壁部８ａ、８ｂが融着接続部１３の側部に当接するので、融着接続部１３は外部の力が加わった場合にも軸方向へ移動することはない。特に、一つの融着接続部１３に対し、主壁部７と押え壁部８ａ、８ｂが一対あり、各押え片３両端に押え壁部８ａ、８ｂが設けられているので、計４箇所でその側面が保持されることになる。
【００２２】
そして、この融着接続部１３は、一方の側面が隣接する押え片３の主壁部７又は側板１０に当接し、この主壁部７又は側板１０に対して押え片３の押え壁部８ａ、８ｂが４箇所において側面から当接し、これを確実に保持することになる。よって、融着接続部１３が軸方向へ移動することはない。さらに、防止部９が融着接続部１３の上方に位置するので、振動等によっても融着接続部１３が外方へ抜け出すことが防止される。また、このホルダ１においては、従来のように別部材蓋を設けなくても抜け出しを防止できるので、構成が簡単である。
【００２３】
さらに、この実施の形態では、防止部９下面（底板２に臨む面）から押え壁部８ａ、８ｂの先端面に連続する面が、中実スリーブ状の融着接続部１３の外周面にほぼ一致する湾曲面になっており、この湾曲面の内側に融着接続部１３が入り込むようなるため、融着接続部１３との接触摩擦抵抗が好適に確保され、融着接続部１３の位置ずれを防止できる。防止部９と融着接続部１３との間には若干隙間があっても良い。防止部９は、融着接続部１３を底板２に押圧する訳ではないので、融着接続部１３には、底板２に押さえ付けるような力による歪が生じず、光特性が安定に維持される。
【００２４】
また、上記のように光ホルダ１に固定された光ファイバ融着接続部１３をこのホルダ１から取り外す際には、このホルダ１の防止部９を融着接続部１３から離間する方向に弾性変形させて後退させ、これを取り出す。弾性変形させることによって、側面の保持と上の方の抜出防止を同時に解除でき、容易に取り外しが可能である。
【００２５】
また、このホルダにおいては、縦連結部６を切断用切込み１２において切り離すことによって、各種選択することが出来る。よって、装置のスペースファクターの向上を図ることができる。
【００２６】
なお、上記の実施の形態においては、光部品として光ファイバ１９の融着接続部１３を例として挙げたが、この融着接続部１３は融着接続部１３に限られず、他の各種光部品であってもよい。また、押え片３の形状は、上記の実施の形態に限られることなく、光部品のサイズ・形状に応じて適宜変更可能である。
【００２７】
【発明の効果】
以上説明したように、本発明によれば、以下の効果が得られる。
本発明によれば、押え片に防止部を設けたので、光部品が外部へ抜け出すのを確実に防止することができる。
また、ホルダを取り付ける機器に応じて、光部品の取付部の数を適宜選択できるので、スペースファクターの向上を図ることができる。
【００２８】
また、請求項２に係る発明によれば、押え片を弾性変形可能に構成したので、光部品の固定又はその離脱作業を容易に行うことができる。
【図面の簡単な説明】
【図１】  この発明の一実施形態の光部品ホルダを示す正面図である。
【図２】  この発明の一実施形態の光部品ホルダを示す背面図である。
【図３】  この発明の一実施形態の光部品ホルダを示す平面図である。
【図４】  この発明の一実施形態の光部品ホルダを示す底面図である。
【図５】  この発明の一実施形態の光部品ホルダを示す右側面図である。
【図６】  図３のＡ−Ａ線視断面図である。
【図７】  図３のＢ−Ｂ線視断面図である。
【図８】  図３のＣ−Ｃ線視断面図である。
【図９】  光部品ホルダに光部品を取り付ける場合の説明図である。
【図１０】  光部品ホルダに光部品が取り付けられた状態を示す斜視図である。
【図１１】  光部品ホルダを切り離す場合の説明図である。
【図１２】  光部品ホルダを取り付ける機器の要部の平面図である。
【図１３】  光部品ホルダを機器に取り付ける場合において光部品ホルダに冶具を取り付けた状態を示す斜視図である。
【図１４】  機器にホルダを冶具を用いて取り付ける際の説明図である。
【図１５】  従来の光部品ホルダの正面図である。
【図１６】  従来の光部品ホルダの平面図である。
【図１７】  従来の光部品ホルダの側面図である。
【符号の説明】
１…光ホルダ、２…底板、３…押え片、９…防止部、１２…切断用切込み、１３…融着接続部。
【図１】
0003995946.tif 000002
【図２】
0003995946.tif 000003
【図３】
0003995946.tif 000004
【図４】
0003995946.tif 000005
【図５】
0003995946.tif 000006
【図６】
0003995946.tif 000007
【図７】
0003995946.tif 000008
【図８】
0003995946.tif 000009
【図９】
0003995946.tif 000010
【図１０】
0003995946.tif 000011
【図１１】
0003995946.tif 000012
【図１２】
0003995946.tif 000013
【図１３】
0003995946.tif 000014
【図１４】
0003995946.tif 000015
【図１５】
0003995946.tif 000016
【図１６】
0003995946.tif 000017
【図１７】
0003995946.tif 000018